(57)【要約】【課題】便器の縁部の下面側の清掃を行い易い清掃具を提供する。【解決手段】便器清掃用の清掃具に使用される清掃具用柄において、使用者が把持する把持部１１と、一端部が把持部１１に接続され、他端部にヘッド部２を取り付ける取付部１２１が備えられた先端部１２と、を有し、把持部１１と先端部１２とは、いずれも中心軸が直線となる棒状に形成されている。【選択図】図１
2019208644.tif 000002
【特許請求の範囲】
【請求項１】
便器清掃用の清掃具に用いられる清掃具用柄において、
使用者が把持する把持部と、一端部が前記把持部に接続され、他端部にヘッド部を取り付ける取付部が備えられた先端部と、を有し、
前記把持部と前記先端部とは、いずれも中心軸が直線となる棒状に形成されていることを特徴とする清掃具用柄。
【請求項２】
前記取付部は、前記ヘッド部を着脱自在に当該清掃具用柄に取り付けることを特徴とする請求項１に記載の清掃具用柄。
【請求項３】
前記把持部と前記先端部との接続角度が、４５°より大きく、１３５°より小さいことを特徴とする請求項１又は２に記載の清掃具用柄。
【請求項４】
前記先端部の長さは、当該清掃具用柄全体の長さの１５％以下であることを特徴とする請求項１から３のいずれか一項に記載の清掃具用柄。
【請求項５】
請求項１から４のいずれか一項に記載の清掃具用柄と、当該清掃具用柄の前記取付部に取り付けられたヘッド部と、を備えることを特徴とする清掃具。
【発明の詳細な説明】
【技術分野】
【０００１】
本発明は、清掃具用柄及び清掃具に関する。
【背景技術】
【０００２】
従来、トイレに設置された便器の清掃に用いられるクリーニングブラシ等の清掃具が普及している。この清掃具は、使用者が柄を持ち、そのヘッド部により便器の内面を擦って汚れを落とすように使用されるので、繰り返し使用する場合、ヘッド部の清潔性が損なわれ、臭いやカビ等が発生する原因となる。
そこで、清掃具のヘッド部を複数の水解紙を積層させて形成し、このヘッド部を柄に着脱自在に保持させ、使用後、ヘッド部を柄から外して便器に流すことを可能とする技術が提案されている（例えば、特許文献１参照）。
【先行技術文献】
【特許文献】
【０００３】
【特許文献１】特許第４４８２５５９号公報
【発明の概要】
【発明が解決しようとする課題】
【０００４】
トイレに設置された便器は、例えば図６に示すように、上部の縁部が、内側へと延出するように形成されていることが多く、このような縁部の下面側は、トイレの水流が届かず、かつ視認し難いため、汚れが残り易い。そこで、清掃具は、このような便器の縁部の下面側を十分に清掃できることが求められる。しかし、上記特許文献１に記載された清掃具は、柄部が曲線状に湾曲して形成されていることから、この湾曲部分が便器の縁部の角に当たってしまうことがある。このため、便器の縁部の裏面を清掃する際には、清掃具を大きく傾ける必要があり、使用者の負担が大きかった。
【０００５】
本発明の課題は、便器の縁部の下面側の清掃を行い易い清掃具用柄及び清掃具を提供することである。
【課題を解決するための手段】
【０００６】
上記課題を解決するために、請求項１に記載の発明は、便器清掃用の清掃具に用いられる清掃具用柄において、
使用者が把持する把持部と、一端部が前記把持部に接続され、他端部にヘッド部を取り付ける取付部が備えられた先端部と、を有し、
前記把持部と前記先端部とは、いずれも中心軸が直線となる棒状に形成されていることを特徴とする。
本発明によれば、便器の縁部の下面側の清掃を行い易い清掃具用柄を提供することができる。
【０００７】
請求項２に記載の発明は、請求項１に記載の清掃具用柄において、
前記取付部は、前記ヘッド部を着脱自在に当該清掃具用柄に取り付けることを特徴とする。
本発明によれば、ヘッド部が交換可能となり、その清潔性を維持し易くなる。
【０００８】
請求項３に記載の発明は、請求項１又は２に記載の清掃具用柄において、
前記把持部と前記先端部との接続角度が、４５°より大きく、１３５°より小さいことを特徴とする。
本発明によれは、便器の縁部の下面側及びその近傍の便器側面内側の清掃の行い易さを両立できる。
【０００９】
請求項４に記載の発明は、請求項１から３のいずれか一項に記載の清掃具用柄において、
前記先端部の長さは、当該清掃具用柄全体の長さの１５％以下であることを特徴とする。
本発明によれば、先端部が長すぎないことで、便器の縁部の下面側の清掃の行い易さをさらに改善することができる。
【００１０】
請求項５に記載の発明は、清掃具において、
請求項１から４のいずれか一項に記載の清掃具用柄と、当該清掃具用柄の前記取付部に取り付けられたヘッド部と、を備えることを特徴とする。
本発明によれば、便器の縁部の下面側の清掃を行い易い清掃具を提供することができる。
【発明の効果】
【００１１】
本発明によれば、便器の縁部の下面側の清掃を行い易い清掃具を提供することができる。
【図面の簡単な説明】
【００１２】
【図１】実施形態に係る清掃具の正面図である。
【図２】実施形態に係る清掃具の側面図である。
【図３】実施形態に係る清掃具の平面図である。
【図４】変形例１に係る清掃具の断面図である。
【図５】変形例２に係る清掃具の正面図である。
【図６】実施例及び比較例に係る清掃具の評価に用いた便器の概略断面図である。
【発明を実施するための形態】
【００１３】
以下、本発明の実施形態である清掃具の具体的な態様について、図１から図４に基づいて説明する。ただし、本発明の技術的範囲は、図示例に限定されない。
なお、以下においては、図１に示すように、前後方向、左右方向及び上下方向並びにＸ軸、Ｙ軸及びＺ軸を定めて説明する。すなわち、把持部１１の先端部１２と接続されていない側の端部が向く方向を「上」、その反対側を「下」、先端部１２が把持部１１に対して屈曲する方向を「右」、その反対側を「左」、柄部１が屈曲する方向側（右側）を向いた際の右手側を「前」、柄部１が屈曲する方向側（右側）を向いた際の左手側を「後」とし、前後方向に沿った軸をＸ軸、左右方向に沿った軸をＹ軸、上下方向に沿った軸をＺ軸とする。
【００１４】
［実施形態の構成］
清掃具１００は、トイレに設置された便器の清掃に用いられるものであり、図１から図３に示すように、清掃具１００の使用者が把持する柄部１と、柄部１に着脱自在に取り付けられるヘッド部２と、から構成される。
【００１５】
｛柄部｝
柄部１は、清掃具１００の使用者が把持する部分である把持部１１と、把持部１１と接続され、ヘッド部２を着脱自在に取り付ける取付部１２１が備えられた先端部１２と、から構成される。
柄部１を形成する材料としては、取付部１２１にヘッド部２を取り付けて清掃を行うことができることができる強度を有するものであれば任意であるが、例えば、ＡＢＳ樹脂（アクリロニトリル・ブタジエン・スチレン共重合樹脂）、ＰＰ（ポリプロピレン）、ＰＥ（ポリエチレン）、ＰＯＭ（ポリアセタール）、ＣＮＦ（セルロースナノファイバー）、木材、金属等を用いることができる。
【００１６】
（把持部）
把持部１１は、清掃具１００の使用者が把持する部分であり、図１に示すように、先端部１２と比較して長さの長い棒状に形成される。
【００１７】
把持部１１は、長さ方向（図１から図３におけるＺ軸方向）において、湾曲した部分を有しない直線状の棒状に形成される。なお、ここで「湾曲した部分を有しない直線状」とは、棒状の把持部１１の中心軸が直線であることをいい、表面に凹凸や歪みを有するものを含むものとする。
把持部１１の長さは、Ｚ軸方向に300ｍｍから650ｍｍであることが好ましく、340ｍｍから450ｍｍであることがさらに好ましい。ここで把持部１１の長さとは、先端部１２と接続されているのと反対側の端部から、先端部１２と接続されている側の端部のうち、最も下方に位置する部分までの長さ（図１におけるＡ）を指す。
また、使用者が把持し易くするため、把持部１１の断面形状（図１におけるＸＹ面に沿った断面おける形状）は円形であり、全体が円柱状に形成されることが望ましい。また、断面の直径が10ｍｍから40ｍｍであることが好ましく、15ｍｍから30ｍｍであることがさらに好ましい。ただし、断面形状は円形に限定されず、例えば四角形、三角形、楕円形等であってもよい。
【００１８】
（先端部）
先端部１２は、柄部１のヘッド部２が取り付けられる部分であり、図１に示すように、把持部１１と比較して長さの短い棒状に形成され、一端部が把持部１１と接続され、他端部にヘッド部２を取り付ける取付部１２１を備える。
【００１９】
先端部１２は、長さ方向（図１におけるＹ軸方向）に湾曲した部分を有しない直線状の棒状に形成される。なお、ここでも「湾曲した部分を有しない直線状」とは、棒状の先端部１２の中心軸が直線であることをいい、表面に凹凸や歪みを有するものを含むものとする。
先端部１２の長さは、Ｙ軸方向に0ｍｍから70ｍｍであることが好ましく、0ｍｍから40ｍｍであることがさらに好ましい。ここで、先端部１２の長さとは、把持部１１と接続されているのと反対側の端部（取付部１２１の先端）から、把持部１１と接続されている側の端部のうち、最も左方に位置する部分までの長さ（図１におけるＢ）を指す。
また、先端部１２の断面形状（図１におけるＸＺ面に沿った断面における形状）は円形であり、取付部１２１を除いて全体が円柱状に形成されることが望ましい。また、断面の直径が20ｍｍから40ｍｍであることが好ましく、20ｍｍから35ｍｍであることがさらに好ましい。ただし、断面形状は円形に限定されず、例えば四角形、三角形、楕円形等であってもよい。
【００２０】
（取付部）
取付部１２１は、先端部１２の把持部１１に接続されているのと反対側の端部に形成された、柄部１にヘッド部２を着脱自在に取り付けるための部分であり、図１及び図２に示すように、所定の間隔を空けて同一方向へと延出する第一延出部１２１１と、第二延出部１２１２と、を備える。
【００２１】
第一延出部１２１１は、図１に示すように、先端部１２の把持部１１と接続されている側と反対側の端部（図１における右端部）の上側に形成された、先端部１２の長さ方向へと板状に突出する部分である。
第二延出部１２１２は、図１に示すように、先端部１２の把持部１１と接続されている側と反対側の端部（図１における右端部）の下側に形成された、先端部１２の長さ方向へと板状に突出する部分である。
【００２２】
第一延出部１２１１及び第二延出部１２１２は、共にＹ軸方向の長さが、好ましくは0ｍｍから35ｍｍ、さらに好ましくは0ｍｍから30ｍｍとなるように形成される。
また、第一延出部１２１１と第二延出部１２１２との間隔は、3ｍｍから20ｍｍであることが好ましく、5ｍｍから18ｍｍであることがさらに好ましい。
【００２３】
第一延出部１２１１及び第二延出部１２１２の間隔を、使用するヘッド部２の厚みよりも僅かに狭くし、ヘッド部２を圧縮しつつ第一延出部１２１１と、第二延出部１２１２との間に挟み込むようにすることで、図１から図３に示すようにヘッド部２を柄部１に対して固定することができる。
【００２４】
なお、取付部１２１は、第一延出部１２１１のＸ方向における中央部に、上方向へと凹状となる凹部を備え、第二延出部１２１２のＸ方向における中央部に、上方向へと凸状となる凸部を備えることが好ましい。この場合、ヘッド部２をＹ軸に沿って湾曲した状態で取り付けることが可能となり、清掃時のヘッド部２の強度を向上させることができる。
【００２５】
（把持部と先端部の関係）
把持部１１と先端部１２とは、図１に示すように、把持部１１の一端部と、先端部１２の取付部１２１が備えられていない一端部とにおいて接続されているが、これらの接続角度（図１における角θ）が、４５°より大きく、１３５°より小さくなるように形成されることが好ましい。この角度であれば、便器の縁部の下面側及びその近傍の便器側面内側の清掃の行い易さを両立できる。また、これらがなす角度が９０°であることが最も好ましい。なお、図１から図３においては、角θが９０°となる最も好ましい態様につき図示しているが、本発明の技術的範囲はこれに限定されるものではない。
【００２６】
また、把持部１１と先端部１２との長さの比率は、把持部１１の長さを図１におけるＡとし、先端部１２の長さを図１におけるＢとした場合に、全体の長さ（Ａ＋Ｂ）を１００％として、把持部の長さＡが、８５％＜Ａ＜１００％、先端部１２の長さが、０％＜Ｂ≦１５％となることが望ましい。この比率であれば、先端部が長すぎないことで、便器の縁部の下面側の清掃の行い易さをさらに改善することができる。
【００２７】
｛ヘッド部｝
ヘッド部２は、図１から図３に示すように、取付部１２１によって柄部１に着脱自在に取り付けられて、便器の内面などの被清掃面に押し付けられてその清掃を行うための部材である。
【００２８】
ヘッド部２としては、取付部１２１によって柄部１に取り付けて使用することができるものであれば任意であるが、水解性を有する素材により形成され、清掃後、柄部１の取付部１２１から外して便器に流すことが可能であることが好ましい。
【００２９】
具体的には、例えばヘッド部２は、水解性を有する一枚のシート体を折り畳むことで２層以上重ね合わされた積層体により形成される。一枚のシート体を折り畳んでヘッド部２を形成することで、その製造を容易にすることができる。
なお、製造の容易性は低下するものの、複数枚のシート体を重ね合わせることで積層体が形成されていてもよい。また、複数枚のシート体を重ね合わせた上で、これをさらに折り畳むことによって、積層体が形成されていてもよい。
このようにヘッド部２を積層体とすることで、便器に流す際に水に対してほぐれやすくすることができる。
【００３０】
また、ヘッド部２に用いられる水解性を有するシート体としては、例えば、湿式抄紙法により作製される水解紙や、エアレイド不織布などを用いることができる。このようなシート体の原料には、バージンパルプが用いられることが好ましい。古紙再生パルプには樹脂や石灰等の異物が混入することがあり、これによって、清掃時に被清掃面に傷がつき易くなる、流した際に所望の水解性が得られず詰まり易くなるといったリスクが生じるためである。
【００３１】
ヘッド部２は、長辺40ｍｍから60ｍｍ、短辺35ｍｍから55ｍｍの長方形状に形成され、厚みが5ｍｍから20ｍｍとなるように形成されることが好ましい。
また、ヘッド部２は、柄部１に対し、取付部１２１の先端から、20ｍｍから40ｍｍ突出するように取り付けられることが好ましく、３０ｍｍ突出するように取り付けられることが最も好ましい。
【００３２】
［実施形態の効果］
本実施形態によれば、柄部１がいずれも直線状に形成された把持部１１と、先端部１２と、から構成され、これらが、所定の角度で接続されている。これによって、便器の縁の下面側の清掃を行い易くなる。
【００３３】
具体的には、便器の縁の下面側の清掃の際には、ヘッド部２を、その先端部が水平方向よりも上を向くようにして被清掃面に対して当てる必要がある。そこで、このような状態での清掃を行い易くするため、把持部１１に対し角度が付いた状態で、ヘッド部２が取り付けられるが、特許文献１に記載の清掃具のように、把持部１１及び先端部１２が曲線状に形成され、徐々に角度が変わる形状だと、この曲線部分が、便器の縁の角部分に干渉し、ヘッド部２を便器の縁の下面側に当て難くなるおそれがある。
そして、これを避けるためには、使用者が、清掃具１００を大きく傾けて使用することが求められるが、その場合、使用者の負担が増加する。
【００３４】
これに対し、本実施形態によれば、柄部１が、把持部１１と先端部１２とがいずれも直線状となるように構成されていることから、湾曲部分が便器の縁の角部に干渉することがない。
これによって、清掃具１００の使用者が、これを大きく傾けずとも便器の縁の裏面の清掃を行うことが可能となり、使用者の負担を低減することができる。
【００３５】
また、本実施形態によれば、柄部１の把持部１１と先端部１２とが共に直線状に形成され、これが所定の角度で接続されていることによって、これらが曲線状に徐々に湾曲していくように形成されている場合と比較して、コンパクトに柄部１を形成することができる。
これによって、清掃具１００全体をコンパクトにすることができ、収納時に要するスペースも少なくなる。
【００３６】
また、柄部１の把持部１１と先端部１２との接続角度（図１における角θ）が、４５°より大きく、１３５°より小さくなるように形成されていることによって、便器の縁部の下面側及びその近傍の便器側面内側の清掃の行い易さを両立できる。また、これらがなす角度が、９０°である場合、さらに便器の縁部の下面側及びその近傍の便器側面内側の清掃の行い易さを改善できる。
【００３７】
また、把持部１１と先端部１２との長さの比率が、把持部１１の長さを図１におけるＡとし、先端部１２の長さを図１におけるＢとした場合に、全体の長さ（Ａ＋Ｂ）を１００％として、把持部１１の長さＡが、８５％＜Ａ＜１００％、先端部１２の長さが、０％＜Ｂ≦１５％となるように形成されていることによって、便器の縁部の下面側の清掃の行い易さをさらに改善することができる。
【００３８】
［変形例］
以下、上記実施形態の変形例につき説明する。
【００３９】
｛変形例１｝
柄部は、図４に示す柄部１Ａのように、外殻部１３０と摺動部１４０と、からなり、摺動部１４０を外殻部１３０に対してスライドさせることで、ヘッド部２を着脱できるように構成されていてもよい。
【００４０】
外殻部１３０は、図４に示すように、柄部１の外殻をなし、内部が中空となるように形成されている。また、先端部１２Ａ側の端部には、上方に第一延出部外側１３１が形成され、下方に第二延出部外側１３２が形成されている。第一延出部外側１３１と、第二延出部外側１３２との上下方向の間隔は、その先端側、すなわち右方に行くほど広くなるように形成されている。
また、把持部１１Ａ側には、開口部１３３と、第一歯部１３４とが形成されている。
【００４１】
摺動部１４０は、図４に示すように外殻部１３０に収納され、先端部１２Ａ側の端部には、上方に第一延出部内側１４１が形成され、下方に第二延出部内側１４２が形成されている。第一延出部内側１４１は、先端側、すなわち右側へ行くほど上方へと突出するように形成され、第二延出部内側１４２は、先端側、すなわち右側に行くほど下方へと突出するように形成されている。
すなわち、第一延出部外側１３１及び第一延出部内側１４１によって第一延出部１２１１Ａが形成され、第二延出部外側１３２及び第二延出部内側１４２によって第二延出部１２１２Ａが形成されている。そして、第一延出部１２１１Ａ及び第二延出部１２１２Ａによって、取付部１２１Ａが構成されている。
【００４２】
また摺動部１４０には、把持部１１Ａ側に、図４に示すように、突起部１４３と、第二歯部１４４と、ばね１４５とが備えられている。
【００４３】
摺動部１４０を、突起部１４３に指を掛け、ばね１４５を押圧しつつ摺動させ、第一歯部１３４と、第二歯部１４４との掛止位置を変えることで、第一延出部１２１１Ａにおける第一延出部外側１３１と第一延出部内側１４１との位置関係、及び第二延出部１２１２Ａにおける第二延出部外側１３２と第二延出部内側１４２との位置関係を変えることができる。
そして、第一延出部外側１３１及び第二延出部外側１３２に対して、第一延出部内側１４１及び第二延出部内側１４２を右方へと摺動させると、第一延出部１２１１Ａと第二延出部１２１２Ａとの間隙が広くなり、第一延出部外側１３１及び第二延出部外側１３２に対して、第一延出部内側１４１及び第二延出部内側１４２を左方へと摺動させると、第一延出部１２１１Ａと第二延出部１２１２Ａとの間隙が狭くなる。
【００４４】
したがって、この場合、第一延出部外側１３１及び第二延出部外側１３２に対して、第一延出部内側１４１及び第二延出部内側１４２を右方へと摺動させ、第一延出部１２１１Ａと第二延出部１２１２Ａとの間隙を広げた状態で、ヘッド部２を着脱し、清掃時には、ヘッド部２を取り付けた後、第一延出部外側１３１及び第二延出部外側１３２に対して、第一延出部内側１４１及び第二延出部内側１４２を左方へと摺動させ、第一延出部１２１１Ａと第二延出部１２１２Ａとの間隙を狭くすることで、ヘッド部２の着脱の容易性と、清掃時の固定強度の両者を向上できる。
【００４５】
｛変形例２｝
図５に示す柄部１Ｂのように、全体が直線状となるように形成された上で、側面（図５においては右側）に、柄部１Ｂの側面から突出するようにヘッド部２を取り付ける取付部１２１Ｂが備えられるようにしてもよい。すなわち本変形例は、本発明において柄部１における先端部１２の長さを０％としたものであるということができる。
取付部１２１Ｂは、柄部１Ｂの側面に備えられた、Ｚ方向において、柄部１における第一延出部１２１１と第二延出部１２１２との間隔と等しい幅となる溝として形成することができる。
【００４６】
｛変形例３｝
取付部は、第一延出部及び／又は第二延出部を上下方向に摺動可能とすることで、ヘッド部２を着脱自在としていてもよい。
具体的には、第一延出部を上方へと摺動させるか、第二延出部を下方へと摺動させることで、第一延出部と第二延出部との間の間隔を広げた状態で、ヘッド部２を当該間隔に挟んだ後、第一延出部を下方と摺動させるか、第二延出部を上方へと摺動させることで、第一延出部と第二延出部との間の間隔を狭め、ヘッド部２を取付部に固定する。
ヘッド部２を取り外す際には、第一延出部を上方へと摺動させるか、第二延出部を下方へと摺動させることで、第一延出部と第二延出部との間の間隔を広げればよい。
【００４７】
｛変形例４｝
図１及び図２においては、第一延出部１２１１及び第二延出部１２１２における互いに対向する面が、いずれも平面である場合につき図示したが、当該対向面の形状は、平面状には限られない。
例えば、ヘッド部２が平面状ではなく湾曲又は屈曲した形状となるように形成されている場合には、これに応じた面形状となるように形成されていることが好ましい。
【実施例】
【００４８】
以下、本発明の実施例及び比較例に係る清掃具を用いて、便器の縁の近傍の清掃を行い、清掃の行い易さを評価した結果について説明する。以下、実施例により本発明を具体的に説明するが、本発明はこれらに限定されるものではない。
【００４９】
［実施例及び比較例の構成］
以下の実施例１から５及び比較例に係る清掃具を用意した。
【００５０】
｛実施例１｝
（柄部）
把持部１１として、長さ345ｍｍ、断面が直径36ｍｍの円形となる円柱状に形成された直線状のものを用いた。
先端部１２として、長さ55ｍｍ、断面が直径35ｍｍの円形となる円柱状に形成された直線状のものを用いた。なお、先端部１２の長さのうち、第一延出部１２１１及び第二延出部１２１２の長さは20ｍｍである。
把持部１１と先端部１２との接続角度（図１におけるθに相当）は、４５°とした。
材料としては、全体にABS樹脂（アクリロニトリル・ブタジエン・スチレン共重合樹脂）を用いた。
（ヘッド部）
シート体として、ＮＢＫＰ（針葉樹晒クラフトパルプ）を１００％用いて形成されたエアレイド不織布を用い、これを24枚重ねることで、平面視において50ｍｍ四方の正方形状となり、厚みが8ｍｍとなるように形成した。これを、正方形の一辺が取付部１２１に挟み込まれ、取付部１２１の先端から30ｍｍ突出するように、柄部１に取り付けた。
【００５１】
｛実施例２｝
柄部１として、把持部１１と先端部１２との接続角度（図１におけるθに相当）を６７．５°としたものを用いた。その他の構成は、実施例１と同様である。
【００５２】
｛実施例３｝
柄部１として、把持部１１と先端部１２との接続角度（図１におけるθに相当）を９０°としたものを用いた。その他の構成は、実施例１と同様である。
【００５３】
｛実施例４｝
柄部１として、把持部１１と先端部１２との接続角度（図１におけるθに相当）を１１２．５°としたものを用いた。その他の構成は、実施例１と同様である。
【００５４】
｛実施例５｝
柄部１として、把持部１１と先端部１２との接続角度（図１におけるθに相当）を１３５°としたものを用いた。その他の構成は、実施例１と同様である。
【００５５】
｛比較例｝
柄部として、把持部及び先端部が曲線状に形成されたもの、具体的には、SCジョンソン社製の「スクラビングバブル  流せるブラシ本体」を用いた。
【００５６】
［評価内容］
上記実施例及び比較例の清掃具を用いて、被験者10人にトイレの便器Ｔ（TOTO社製  SH221BAS  VR＃SC1）の縁部の下面側（図６におけるＣ）及びその近傍の便器側面内側（図６におけるＤ）を清掃させ、各被験者に以下の５段階で評価させ、その平均値を算出した。
5：とても掃除しやすい
4：掃除しやすい
3：普通に掃除できる
2：掃除しにくい
1：とても掃除しにくい
【００５７】
試験の結果を表Iに示す。
【００５８】
【表１】
2019208644.tif 000003
【００５９】
（評価）
実施例１から５と、比較例とを比較すると、実施例１から５のいずれにおいても、Ｃ及びＤの両者について、清掃の行い易さが改善している。これにより、柄部１を、把持部１１及び先端部１２が直線状となるように形成することで、便器の縁部の下面側（図６におけるＣ）及びその近傍の便器側面内側（図６におけるＤ）の清掃を行い易くなることが分かる。
また、実施例１及び５と、実施例２から４とを比較すると、実施例１においては、Ｄにつき、比較例よりは改善しているものの、平均２．３という「２：掃除しにくい」に近い値となっており、実施例５においては、Ｃにつき、比較例よりは改善しているものの、平均２．４という「２：掃除しにくい」に近い値となっているのに対し、実施例２から４においては、いずれにおいても、Ｃ及びＤの両者について、「３：普通に掃除できる」を超える値となっている。これにより、把持部１１と先端部１２との接続角度を４５°よりも大きく、１３５°よりも小さくすることで、便器の縁部の下面側（図６におけるＣ）及びその近傍の便器側面内側（図６におけるＤ）の清掃の行い易さを両立できることが分かる。
また、実施例２及び４と、実施例３とを比較すると、実施例３においては、Ｃ及びＤの両者について、清掃の行い易さがさらに改善している。これにより、把持部１１と先端部１２との接続角度を９０°とすることで、便器の縁部の下面側（図６におけるＣ）及びその近傍の便器側面内側（図６におけるＤ）の清掃の行い易さをさらに改善できることが分かる。
【符号の説明】
【００６０】
１００、１００Ａ  清掃具
１、１Ａ  柄部（清掃具用柄）
１１、１１Ａ  把持部
１２、１２Ａ  先端部
１２１、１２１Ａ  取付部
２  ヘッド部
【図１】
2019208644.tif 000004
【図２】
2019208644.tif 000005
【図３】
2019208644.tif 000006
【図４】
2019208644.tif 000007
【図５】
2019208644.tif 000008
【図６】
2019208644.tif 000009